(57)【要約】【課題】デジタルカメラに特別な回路を付加しなくても、記録媒体に記録された画像が、著作権者である撮影者が、所定のデジタルカメラによって撮影した画像であるか否かを確実に判別することのできる画像記録済み記録媒体を得る。【解決手段】画像データ領域ＩＡ及び撮影情報領域ＰＡからなる画像ファイルが記録されてなる画像記録済み記録媒体において、撮影で使用したデジタルカメラの撮像素子固有の画素欠陥情報Ｘ１，Ｙ１〜Ｘ８，Ｙ８が、撮影情報領域ＰＡに記録されてなる画像記録済み記録媒体である。【選択図】          図１
2004193729.tif 000002
【特許請求の範囲】
【請求項１】
画像データ領域及び撮影情報領域からなる画像ファイルが記録されてなる画像記録済み記録媒体において、
撮影で使用したデジタルカメラの撮像素子固有の画素欠陥情報が、前記撮影情報領域に記録されてなることを特徴とする画像記録済み記録媒体。
【請求項２】
画像データ領域及び撮影情報領域からなる画像ファイルを記録媒体に記録する画像ファイルの記録方法において、
撮影で使用したデジタルカメラよりの画像データを前記画像データ領域に記録すると共に、該撮影で使用したデジタルカメラの撮像素子固有の画素欠陥情報を前記撮影情報領域に記録することを特徴とする画像ファイルの記録方法。
【請求項３】
撮像素子と、該撮像素子固有の画素欠陥情報が記憶された画素欠陥情報記憶手段と、前記撮像素子から得られた画素データと、前記画素欠陥情報記憶手段より読み出された画素欠陥情報とに基づいて、欠陥画素に対応する画素データを生成して、画素欠陥の無い画像データを出力する信号処理手段と、画像データ領域及び撮影情報領域からなる画像ファイルが記録される記録媒体に、前記信号処理手段よりの画像データを記録する記録手段とを有するデジタルカメラにおいて、
前記記録手段は、前記画素欠陥情報記憶手段より読み出された画素欠陥情報を、前記画像ファイルの撮影情報領域に記録するようにしたことを特徴とするデジタルカメラ。
【請求項４】
請求項１に記載の画像記録済み記録媒体において、
前記画像ファイルは、Ｅｘｉｆフォーマットの画像ファイルであることを特徴とする画像記録済み記録媒体。
【請求項５】
請求項２に記載の画像ファイル伝送方法において、
前記画像ファイルは、Ｅｘｉｆフォーマットの画像ファイルであることを特徴とする画像ファイル伝送方法。
【請求項６】
請求項３に記載のデジタルカメラにおいて、
前記画像ファイルは、Ｅｘｉｆフォーマットの画像ファイルであることを特徴とするデジタルカメラ。
【発明の詳細な説明】
【０００１】
【発明の属する技術分野】
本発明は画像記録済み記録媒体、画像ファイルの記録方法及びデジタルカメラに係り、特に、著作権保護を目的とした画像記録済み記録媒体、画像ファイルの記録方法及びデジタルカメラに関する。
【０００２】
【従来の技術】
インターネットの普及やその高速化により、手軽に画像データの遣り取りをすることが可能になってきた。しかし、その画像データの著作権が不確実となるおそれが多々あった。
【０００３】
特許文献１には、デジタルカメラが記載され、そのデジタルカメラでは、画像検出手段よりの画像電気信号を記憶手段に記憶し、その記憶手段よりの記憶画像データ信号と、著作権データ信号とを電子透かしデータ挿入手段に供給して、電子透かし挿入画像データ信号を得て記憶手段に供給し、記憶手段より記憶電子透かし挿入画像データ信号を発生させるようにしている。著作権データ信号の内容は、撮影画像の撮影者、即ち、著作権者の氏名及び生年月日である。
【０００４】
【特許文献１】
特開２０００−１２５１７３号公報
【０００５】
【発明が解決しようとする課題】
特許文献１のデジタルカメラは、画像検出手段よりの画像電気信号に電子透かしデータを挿入する回路を設けているので、構成が複雑となる。
【０００６】
本発明は、デジタルカメラに特別な回路を付加しなくても、記録媒体に記録された画像データの画像が、あるデジタルカメラによって撮影された画像であるか否かを確実に判別することのできる画像記録済み記録媒体を提案しようとするものである。
【０００７】
又、本発明は、デジタルカメラに特別な回路を付加しなくても、記録ファイルを構成する画像データ領域に存在する画像データの画像が、あるデジタルカメラによって撮影された画像であるか否かを確実に判別することのできる画像ファイル伝送方法を提案しようとするものである。
【０００８】
更に、本発明は、特別な回路を付加しなくても、記録媒体に記録された画像データの画像が、あるデジタルカメラによって撮影された画像であるか否かを確実に判別することのできる記録媒体を得ることのできるデジタルカメラを提案しようとするものである。
【０００９】
【課題を解決するための手段】
本発明は、画像データ領域及び撮影情報領域からなる画像ファイルが記録されてなる画像記録済み記録媒体において、撮影で使用したデジタルカメラの撮像素子固有の画素欠陥情報が、撮影情報領域に記録されてなる画像記録済み記録媒体である。
【００１０】
本発明の記録媒体によれば、撮影で使用したデジタルカメラの撮像素子固有の画素欠陥情報が、画像データ領域及び撮影情報領域からなる画像ファイルの撮影情報領域される。尚、画像ファイルは、Ｅｘｉｆフォーマットの画像ファイルが可能である。
【００１１】
本発明は、画像データ領域及び撮影情報領域からなる画像ファイルを記録媒体に記録する画像ファイルの記録方法において、撮影で使用したデジタルカメラよりの画像データを画像データ領域に記録すると共に、その撮影で使用したデジタルカメラの撮像素子固有の画素欠陥情報を撮影情報領域に記録するようにした画像ファイルの記録方法である。
【００１２】
本発明の画像ファイルの記録方法によれば、画像データ領域及び撮影情報領域からなる画像ファイルの画像データ領域に、撮影で使用したデジタルカメラよりの画像データを画像データ領域に記録すると共に、撮影情報領域に、その撮影で使用したデジタルカメラの撮像素子固有の画素欠陥情報を記録する。尚、画像ファイルは、Ｅｘｉｆフォーマットの画像ファイルが可能である。
【００１３】
本発明は、撮像素子と、その撮像素子固有の画素欠陥情報が記憶された画素欠陥情報記憶手段と、撮像素子から得られた画素データと、画素欠陥情報記憶手段より読み出された画素欠陥情報とに基づいて、欠陥画素に対応する画素データを生成して、画素欠陥の無い画像データを出力する信号処理手段と、画像データ領域及び撮影情報領域からなる画像ファイルが記録される記録媒体に、信号処理手段よりの画像データを記録する記録手段とを有するデジタルカメラにおいて、記録手段は、画素欠陥情報記憶手段より読み出された画素欠陥情報を、画像ファイルの撮影情報領域に記録するようにしたデジタルカメラである。
【００１４】
本発明のデジタルカメラによれば、撮像素子固有の画素欠陥情報を画素欠陥情報記憶手段に記憶し、信号処理手段によって、撮像素子から得られた画素データと、画素欠陥情報記憶手段より読み出された画素欠陥情報とに基づいて、欠陥画素に対応する画素データを生成して、画素欠陥の無い画像データを出力し、記録手段によって、画像データ領域及び撮影情報領域からなる画像ファイルが記録される記録媒体に、信号処理手段よりの画像データを記録する。そして、特に、記録手段は、画素欠陥情報記憶手段より読み出された画素欠陥情報を、画像ファイルの撮影情報領域に記録する。尚、画像ファイルは、Ｅｘｉｆフォーマットの画像ファイルが可能である。
【００１５】
【発明の実施の形態】
以下に、図１を参照して、本発明の実施の形態の画像記録済み記録媒体の一例の記録フォーマットを説明する。この記録フォーマットは、ＥＸＩＦフォーマットである。尚、ＥＸＩＦは、Ｅｘｃｈａｎｇｅａｂｌｅ  Ｉｍａｇｅ  Ｆｏｒｍａｔ  の略である。このＥＸＩＦフォーマットは、ＪＰＥＧ（Ｊｏｉｎｔ  Ｐｈｏｔｏｇｒａｐｈｉｃ  Ｅｘｐｅｒｔｓ  Ｇｒｏｕｐ）  と称されるカラー静止画の圧縮フォーマットに、撮影情報領域を付加したフォーマットである。ＩＡは画像データ領域を示し、ＰＡは撮影情報領域を示す。
【００１６】
この撮影情報領域ＰＡには、通常、メーカー名、機種、画像方法、解像度、撮影日時、露出モード、設定値、レンズ焦点距離、感度等の撮影情報のデータ他にサムネイル情報のデータが埋め込まれる。
【００１７】
本発明においては、撮影で使用したデジタルカメラの撮像素子の画素欠陥に基づく欠陥画素アドレスデータＤが、この撮影情報領域ＰＡの一部に埋め込まれる。この欠陥画素アドレスデータＤは、撮影に使用したデジタルカメラの撮像素子（ＣＣＤ）の複数の欠陥画素をＸＹ直交座標で表しており、図１の場合は、簡単のため、例えば、８個の欠陥画素のＸＹ直交座標Ｘ１、Ｙ１〜Ｘ８、Ｙ８を図示しているが、そのＸＹ直交座標の個数や、撮影情報領域ＰＡ内の記録位置等は任意である。
【００１８】
かかる画像データ領域及び撮影情報領域からなる画像ファイルをインターネット、放送等によって、任意に伝送することができる。
【００１９】
次に、図２を参照して、本発明の実施の形態のデジタルカメラの一例を詳細に説明する。先ず、操作スイッチ２２について説明する。操作スイッチ２２は、電源スイッチ、シャッタースイッチ、撮影モードと再生モードとを切り換えるためのモード切り換えスイッチ、ズーム、コマ送り、カーソル移動等の各種の指令信号を出力するマルチファンクションの十字キースイッチ、メニュー／ＯＫボタンスイッチ（メニュー表示機能と選択や指示の限定実行を指令するＯＫ機能とを兼備したスイッチ）、キャンセルボタンスイッチ等を含む。
【００２０】
又、この操作スイッチ２２には、シャッターボタンをＯＮする毎に静止画を撮影する単写撮影モード、連写撮影モード及び動画撮影モードを選択する各操作スイッチが含まれる。操作スイッチ２２よりのスイッチ操作に基づく各信号は、システムコントローラ２０に供給される。
【００２１】
次に、撮影系及び信号系について説明する。被写体を示す画像光は、ＣＰＵを備えるシステムコントローラ２０によって、フォーカシング、ズーミング等が制御されるレンズ１０を介して撮像素子（ＣＣＤ）１２の受光面に結像される。撮影モード時にシャッタースイッチがＯＮされると、ＣＣＤ１２に蓄積された信号電荷は、電圧信号として順次読み出される。尚、ＣＣＤ１２は、シャッターゲートパルスのタイミングによって各フォトセンサの電荷蓄積時間（シャッタースピード）を制御する、いわゆる電子シャッター機能を有している。
【００２２】
このＣＣＤ１２から順次読み出された電圧信号は、システムコントローラ２０によって制御されるアナログ処理回路１４に供給されて、ここでサンプリング・ホールドや、オートゲインコントロール等の処理がされた後、Ａ／Ｄ変換器１６に供給されて、デジタル画像信号に変換される。
【００２３】
タイミングジェネレータ（ＴＧ）１８は、システムコントローラ２０の制御に従って、ＣＣＤ１２、アナログ処理回路１４、Ａ／Ｄ変換器２０に対してタイミング信号を与えており、このタイミング信号によって各回路の同期がとられている。
【００２４】
３８はＥＥＰＲＯＭ等からなる欠陥アドレス記憶手段で、この欠陥アドレス記憶手段３８には、ＣＣＤ１２の欠陥画素アドレスデータが記憶されている。この欠陥画素アドレスデータは、デジタルカメラの製造時において、ＣＣＤ１２の欠陥画素を検査して得た欠陥画素アドレスデータである。この欠陥アドレス記憶手段３８は、システムコントローラ２０内のメモリ制御回路によって、その読み出しが制御される。
【００２５】
Ａ／Ｄ変換器１６から出力されたデジタルＲ（赤）、Ｇ（緑）、Ｂ（青）信号は、システムコントローラ２０によって制御されるデジタル信号処理回路２４に供給され、そのデジタル信号処理回路２４から出力されて、１コマ毎にフレームメモリ２６に書き込まれ、それが読み出されて、デジタル信号処理回路２４に供給される。デジタル信号処理回路２４において、そのデジタル信号処理回路２４に内蔵されたデータ補正回路２８によって、欠陥画素アドレス記憶手段３８から読み出された欠陥画素アドレスデータに基づいて、点順次のＲ、Ｇ、Ｂ信号の各欠陥画素の周囲の画素データを用いて、欠陥画素に対応する画素データを生成して、画素欠陥の無い点順次のＲ、Ｇ、Ｂ信号画像データを出力する。この補正された点順次のＲ、Ｇ、Ｂ信号が同時式のＲ、Ｇ、Ｂ信号に変換され、その同時式のＲ、Ｇ、Ｂ信号がホワイトバランス調整及びガンマ補正された後、輝度信号Ｙ及びクロマ信号Ｃｒ、ＣｂからなるＹＣ画像データに変換され、再びフレームメモリ２６に記憶される。尚、フレームメモリ２６は、デジタル信号処理回路２４内のメモリ制御回路（図示せず）によって、書き込み及び読み出しが制御される。
【００２６】
３４はメモリカードで、このメモリカード３４は、上述したデジタル信号処理回路２４内のメモリ制御回路２８によって、その読み出し及び書き込みが制御される。
【００２７】
フレームメモリ２６から読み出された画像データは、システムコントローラ２０によって、圧縮率及び伸長率が制御される圧縮／伸長回路３０によって圧縮された後、メモリカード３４のＥＸＩＦフォーマットの画像データ領域に記録されると共に、欠陥画素アドレス記憶手段３８よりの読み出された欠陥画素アドレスデータが、ＥＸＩＦフォーマットの撮影情報領域に記録される。再生時には、メモリカード３４から読み出された画像データが、図示を省略したＤＳＰ（デジタル・シグナル・プロセッサ）に供給されて表示用信号に変換された後、液晶モニタ３２に供給されて、その画像が表示される。
【００２８】
再生時には、メモリカード３４に記憶されている画像データを読み出し、その読み出された画像データを圧縮／伸長回路３０に供給して伸長した後、デジタル信号処理回路２４内に設けたＤＳＰ（デジタル・シグナル・プロセッサ）（図示を省略する）に供給して、表示用信号に変換した後、その表示用信号を液晶モニタ３２に供給することによって、その画像データの画像を液晶モニタ３２に表示させることができる。
【００２９】
画像データ領域及び撮影情報領域からなる画像ファイルであって、撮影で使用したデジタルカメラよりの画像データが画像データ領域に存在すると共に、その撮影で使用したデジタルカメラの撮像素子の画素欠陥に基づく欠陥画素アドレスデータが、撮影情報領域に埋め込まれてなる画像ファイルが、例えば、２つある場合、その２つの画像ファイルの撮影情報領域にそれぞれ埋め込まれている欠陥画素アドレスデータが同じであれば、２つの画像ファイルの画像データ領域に存在する画像データは、同じデジタルカメラで撮影して得られた画像データであり、その２つの欠陥画素アドレスデータが異なれば、２つの画像ファイルの画像データ領域に存在する画像データは、異なるデジタルカメラで撮影して得られた画像データであることが分かる。
【００３０】
【発明の効果】
本発明によれば、画像データ領域及び撮影情報領域からなる画像ファイルが記録されてなる画像記録済み記録媒体において、撮影で使用したデジタルカメラの撮像素子固有の画素欠陥情報が、撮影情報領域に記録されてなるので、デジタルカメラに特別な回路を付加しなくても、記録媒体に記録された画像データの画像が、あるデジタルカメラによって撮影された画像であるか否かを確実に判別することができ、著作権保護を確実にした画像記録済み記録媒体を得ることができる。
【００３１】
本発明によれば、画像データ領域及び撮影情報領域からなる画像ファイルを記録媒体に記録する画像ファイルの記録方法において、撮影で使用したデジタルカメラよりの画像データを画像データ領域に記録すると共に、その撮影で使用したデジタルカメラの撮像素子固有の画素欠陥情報を撮影情報領域に記録するようにしたので、デジタルカメラに特別な回路を付加しなくても、記録ファイルを構成する画像データ領域に存在する画像データの画像が、あるデジタルカメラによって撮影された画像であるか否かを確実に判別することができ、著作権保護を確実にした画像ファイル伝送方法を得ることができる。
【００３２】
本発明によれば、撮像素子と、その撮像素子固有の画素欠陥情報が記憶された画素欠陥情報記憶手段と、撮像素子から得られた画素データと、画素欠陥情報記憶手段より読み出された画素欠陥情報とに基づいて、欠陥画素に対応する画素データを生成して、画素欠陥の無い画像データを出力する信号処理手段と、画像データ領域及び撮影情報領域からなる画像ファイルが記録される記録媒体に、信号処理手段よりの画像データを記録する記録手段とを有するデジタルカメラにおいて、記録手段は、画素欠陥情報記憶手段より読み出された画素欠陥情報を、画像ファイルの撮影情報領域に記録するようにしたので、特別な回路を付加しなくても、記録媒体に記録された画像データの画像が、あるデジタルカメラによって撮影された画像であるか否かを確実に判別することができ、著作権保護を確実にした記録媒体の得られるデジタルカメラを得ることができる。
【図面の簡単な説明】
【図１】本発明の実施の形態の画像記録済み記録媒体の画像ファイルの一例のフォーマットであるＥＸＩＦフォーマットを示す説明図である。
【図２】本発明の実施の形態のデジタルカメラの一例を示すブロック図である。
【符号の説明】
ＩＡ…画像データ領域、ＰＡ…撮影情報領域、Ｄ…欠陥画素アドレスデータ、１２…ＣＣＤ、２４…デジタル信号処理回路、２８…データ補正回路、３４…メモリカード
【図１】
2004193729.tif 000003
【図２】
2004193729.tif 000004